(57)【要約】【課題】カードを収納できる四角錐状の収納ボックスを提供する。【解決手段】カードを収納する収納ボックスである。収納ボックス１は、第１〜第４辺２ａ、２ｂ、２ｃ、２ｄを有する矩形状の板状部材２と、板状部材２の第１〜第３辺２ａ、２ｂ、２ｄにそれぞれ接続する第１切片〜第３切片３、４、５と、板状部材の第４辺２ｄに接続する蓋部６とを備える。蓋部６は、第４辺２ｄを軸に板状部材２に向けて回転可能であり、かつ、板状部材２に向けて回転することで、板状部材２の第１〜第３辺２ａ、２ｂ、２ｃに沿うように位置し、板状部材２を底面とする中空四角錐状となる。【選択図】図１
0003233877.tif 000002
【実用新案登録請求の範囲】
【請求項１】
カードを収納する収納ボックスであって、
第１辺と、前記第１辺に接続する第２辺と、前記第２辺に接続する第３辺と、前記第３辺及び前記第１辺に接続する第４辺と、を有する矩形状の板状部材と、
前記第１辺に接続して前記板状部材の外側に延び、前記第１辺を軸に自身を前記板状部材に向けて折り畳み可能な第１切片と、
前記第２辺に接続して前記板状部材の外側に延び、前記第２辺を軸に自身を前記板状部材に向けて折り畳み可能な第２切片と、
前記第３辺に接続して前記板状部材の外側に延び、前記第３辺を軸に自身を前記板状部材に向けて折り畳み可能な第３切片と、
前記第４辺に接続して、前記第４辺を軸に自身を前記板状部材に向けて回転可能であり、かつ、前記板状部材に向けて回転することで、前記第１辺、前記第２辺及び前記第３辺に沿うように位置し、前記板状部材を底面とする中空四角錐状となる蓋部と、
を備え、
前記蓋部は、前記中空四角錐状の頂点と、前記頂点を同じにする三角形状の第１面、第２面、第３面、及び第４面と、を有し、
前記第４面は、前記頂点に対向する前記第４辺を有し、
前記第３面は、前記頂点に対向するとともに、前記第４辺に接続する第３対向辺を有し、
前記第２面は、前記頂点に対向するとともに、前記第３対向辺に接続する第２対向辺を有し、
前記第１面は、前記頂点に対向するとともに、前記第２対向辺及び前記第４辺に接続する第１対向辺を有し、
前記板状部材に前記カードが載置されるとともに、
前記第１辺を軸に前記板状部材に向けて前記第１切片を折り畳み、
前記第２辺を軸に前記板状部材に向けて前記第２切片を折り畳み、
前記第３辺を軸に前記板状部材に向けて前記第３切片を折り畳み、
前記第４辺を軸に前記板状部材に向けて前記蓋部を回転させることで、前記第１対向辺が前記第１辺に、前記第２対向辺が前記第２辺に、前記第３対向辺が前記第３辺に沿うように位置し、少なくとも前記蓋部と前記板状部材とにより区画された内部に前記カードが収納される収納ボックス。
【請求項２】
前記第２切片は、
前記第２辺における少なくとも一部の区間の一端を起点に前記板状部材の外側に延びたのちに、前記一部の区間の他端に到達する一筆書き状のスリットと、
前記スリットと前記一部の区間により区画され、前記一部の区間を軸に自身を回転可能な第４切片と、
前記スリットと前記一部の区間を除いた前記第２辺により区画され、前記一部の区間を除いた前記第２辺を軸に自身を回転可能な第５切片と、
を有し、
前記第２面は、前記第４切片の少なくとも一部を挿入可能な切れ目を有し、
前記一部の区間を除いた前記第２辺を軸に前記板状部材に向けて前記第５切片を折り畳み、
前記第４辺を軸に前記板状部材に向けて前記蓋部を回転させることで、前記第１対向辺が前記第１辺に、前記第２対向辺が前記第２辺に、前記第３対向辺が前記第３辺に沿うように位置し、
前記一部の区間を軸に前記第４切片を前記第２面に向けて回転させ、前記第４切片の少なくとも一部を前記切れ目に挿入し、前記第４切片を前記第２面に引っ掛ける、請求項１に記載の収納ボックス。
【請求項３】
前記第２面は、前記第２対向辺の少なくとも一部が前記頂点に向けて窪む凹部を有し、
前記第４辺を軸に前記板状部材に向けて前記蓋部を回転させることで、前記第２対向辺が前記第２辺に沿うように位置するとともに、前記凹部の内側に前記一部の区間が位置する、請求項１又は２に記載の収納ボックス。
【請求項４】
前記蓋部は、
前記第４面と前記第３面との接続部分及び前記第２面と前記第１面との接続部分を山折りに折り畳み可能、及び／又は、前記第４面と前記第３面との接続部分及び前記第２面と前記第１面との接続部分を山折りに折り畳み可能な折り畳み部と、を有し、
前記蓋部は、
前記第２面と前記第３面が重なるとともに、前記第１面と前記第２面が重なるように折り畳み可能、又は、前記第１面と前記第４面が重なるとともに、前記第２面と前記第３面が重なるように折り畳み可能である、請求項１ないし３のいずれか１項に記載の収納ボックス。
【請求項５】
前記蓋部を折り畳んだ状態で、前記第４辺を軸として前記蓋部を前記板状部材に折り畳むとともに、前記第２辺を軸として前記第２切片を前記板状部材に折り畳むことで、
前記第１辺に沿う方向の長さが、１２０ｍｍ以下であり、
前記第２辺に沿う方向の長さが、２３５ｍｍ以下である、請求項４に記載の収納ボックス。
【考案の詳細な説明】
【技術分野】
【０００１】
本考案は、紙やシートなどのカードを収納する収納ボックスに関する。
【背景技術】
【０００２】
例えば、特許文献１には、メモ用紙などを収納する収納ケースが開示されている。
【先行技術文献】
【特許文献】
【０００３】
【特許文献１】特開平１０−１１９９５３号公報
【考案の概要】
【考案が解決しようとする課題】
【０００４】
特許文献１の収納ケースは、直方体状の収納ケースである。そのため、収納ケースの形状がありふれたものである。
【０００５】
本考案の課題は、カードを収納できる四角錐状の収納ボックスを提供することにある。
【課題を解決するための手段及び考案の効果】
【０００６】
本考案の収納ボックスは、
カードを収納する収納ボックスであって、
第１辺と、第１辺に接続する第２辺と、第２辺に接続する第３辺と、第３辺及び第１辺に接続する第４辺と、を有する矩形状の板状部材と、
第１辺に接続して板状部材の外側に延び、第１辺を軸に自身を板状部材に向けて折り畳み可能な第１切片と、
第２辺に接続して板状部材の外側に延び、第２辺を軸に自身を板状部材に向けて折り畳み可能な第２切片と、
第３辺に接続して板状部材の外側に延び、第３辺を軸に自身を板状部材に向けて折り畳み可能な第３切片と、
第４辺に接続して、第４辺を軸に自身を板状部材に向けて回転可能であり、かつ、板状部材に向けて回転することで、第１辺、第２辺及び第３辺に沿うように位置し、板状部材を底面とする中空四角錐状となる蓋部と、
を備え、
蓋部は、中空四角錐状の頂点と、頂点を同じにする三角形状の第１面、第２面、第３面、及び第４面と、を有し、
第４面は、頂点に対向する第４辺を有し、
第３面は、頂点に対向するとともに、第４辺に接続する第３対向辺を有し、
第２面は、頂点に対向するとともに、第３対向辺に接続する第２対向辺を有し、
第１面は、頂点に対向するとともに、第２対向辺及び第４辺に接続する第１対向辺を有し、
板状部材にカードが載置されるとともに、
第１辺を軸に板状部材に向けて第１切片を折り畳み、
第２辺を軸に板状部材に向けて第２切片を折り畳み、
第３辺を軸に板状部材に向けて第３切片を折り畳み、
第４辺を軸に板状部材に向けて蓋部を回転させることで、第１対向辺が第１辺に、第２対向辺が第２辺に、第３対向辺が第３辺に沿うように位置し、少なくとも蓋部と板状部材とにより区画された内部にカードが収納される。
【０００７】
本考案の収納ボックスは、板状部材にカードが載置され、第１〜第３切片を板状部材に折り畳み、第４辺を軸に板状部材に向けて蓋部を回転させることで、第１対向辺が第１辺に、第２対向辺が第２辺に、第３対向辺が第３辺に沿うように位置し、少なくとも蓋部と板状部材とにより区画された内部にカードが収納される。そのため、いわばピラミッドのような形状のボックス内部にカードを収納できる。
【０００８】
本考案の実施態様では、
第２切片は、
第２辺における少なくとも一部の区間の一端を起点に板状部材の外側に延びたのちに、一部の区間の他端に到達する一筆書き状のスリットと、
スリットと一部の区間により区画され、一部の区間を軸に自身を回転可能な第４切片と、
スリットと一部の区間を除いた第２辺により区画され、一部の区間を除いた第２辺を軸に自身を回転可能な第５切片と、
を有し、
第２面は、第４切片の少なくとも一部を挿入可能な切れ目を有し、
一部の区間を除いた第２辺を軸に板状部材に向けて第５切片を折り畳み、
第４辺を軸に板状部材に向けて蓋部を回転させることで、第１対向辺が第１辺に、第２対向辺が第２辺に、第３対向辺が第３辺に沿うように位置し、
一部の区間を軸に第４切片を第２面に向けて回転させ、第４切片の少なくとも一部を切れ目に挿入し、第４切片を第２面に引っ掛ける。
【０００９】
これによれば、第４切片を第２面に引っ掛けることで、第４辺を軸に回転可能な蓋部の位置を固定できる。
【００１０】
本考案の実施態様では、
第２面は、第２対向辺の少なくとも一部が頂点に向けて窪む凹部を有し、
第４辺を軸に板状部材に向けて蓋部を回転させることで、第２対向辺が第２辺に沿うように位置するとともに、凹部の内側に一部の区間が位置する。
【００１１】
これによれば、一部の区間を軸として第４切片を回転させる際に、第４切片の動きが第２対向辺に阻害されにくくなる。
【００１２】
本考案の実施態様では、
蓋部は、
第４面と第３面との接続部分及び第２面と第１面との接続部分を山折りに折り畳み可能、及び／又は、第４面と第１面との接続部分及び第２面と第３面との接続部分を山折りに折り畳み可能な折り畳み部と、を有し、
蓋部は、
第４面と第３面が重なるとともに、第２面と第１面が重なるように折り畳み可能、又は、第４面と第１面が重なるとともに、第２面と第３面が重なるように折り畳み可能である。
【００１３】
これによれば、四角錐状の蓋部を折り畳むことができ、収納ボックスをコンパクトになる。
【００１４】
本考案の実施態様では、
蓋部を折り畳んだ状態で、第４辺を軸として蓋部を板状部材に折り畳むとともに、第２辺を軸として第２切片を板状部材に折り畳むことで、
第１辺に沿う方向の長さが、１２０ｍｍ以下であり、
第２辺に沿う方向の長さが、２３５ｍｍ以下である。
【００１５】
これによれば、収納ボックスを折り畳んだ状態で長３などの封筒に入れることができる。
【図面の簡単な説明】
【００１６】
【図１】本考案の収納ボックスの一例を示す模式斜視図。
【図２】図１の収納ボックスを別角度から見た模式斜視図。
【図３】図１の収納ボックスの模式展開図。
【図４】図１の収納ボックスの第１〜第３切片を開いた状態を示す模式斜視図。
【図５】図５の蓋部の糊代部を取り外した状態を示す模式斜視図。
【図６】図４の収納ボックスの蓋部を閉じた状態を示す模式斜視図。
【図７】図６の収納ボックスの第４切片を折り曲げた状態を示す模式斜視図。
【図８】図７の収納ボックスの蓋部を固定した状態を示す模式斜視図。
【図９】図１の収納ボックスの蓋部を折り畳んだ状態を示す模式展開図。
【図１０】図９の収納ボックスの蓋部と第２切片を板状部材に向けて折り畳んだ状態を示す模式展開図。
【図１１】第４切片と蓋部の第２面の凹部との位置関係を示す模式斜視図。
【図１２】本考案の収納ボックスの変形例を示す模式展開図。
【図１３】本考案の収納ボックスの参考例を示す模式展開図。
【考案を実施するための形態】
【００１７】
図１及び図２は本考案の一例の収納ボックス１を示す。収納ボックス１は、例えば、シート状のカードなどの紙を複数枚、収納できる箱である。収納ボックス１の素材として、例えば、厚紙などが用いられる。図１及び図２では、カードなどを収納するために収納ボックス１を開いた状態が示される。
【００１８】
収納ボックス１は、収納するカードを載せる載置面となる矩形状の板状部材２を有する。収納ボックス１の展開図である図３に示すように板状部材２は、正方形状又は略正方形状に形成され、４つの辺を有する。板状部材２は、第１辺２ａと、第１辺２ａに接続する第２辺２ｂと、第２辺２ｂに接続する第３辺２ｃと、第３辺２ｃに接続するとともに、第１辺２ａに接続する第４辺２ｄと、を有する。後述するように、第１辺２ａには第１切片３が接続し、第２辺２ｂには第２切片４が接続し、第３辺２ｃには第３切片５が接続し、第４辺２ｄには蓋部６が接続する。
【００１９】
第１辺２ａには、第１辺２ａから板状部材２の外側（図３の上方）に延び、延びた先が第１辺２ａより短くなり、台形状となる板状の第１切片３が備わる。第１切片３が第１辺２ａを軸に板状部材２に向けて折り畳み可能となるように、第１辺２ａには折り目（図示省略）が形成される。
【００２０】
第２辺２ｂには、第２辺２ｂから板状部材２の外側（図３の左側）に延び、延びた先が第２辺２ｂより短くなり、台形状となる板状の第２切片４が備わる。第２切片４が第２辺２ｂを軸に板状部材２に向けて折り畳み可能となるように、第２辺２ｂには折り目（図示省略）が形成される。第２切片４は、台形状の高さＨ１が、台形状の第１切片３の高さＨ２よりも高く形成される。第２切片４は、第２辺２ｂの中央部分の一部の区間ＳＥの一端Ｅ１から他端Ｅ２に向けて延びる略Ｖ字状のスリットＳ１を有する。スリットＳ１は、区間ＳＥの一端Ｅ１を起点に板状部材２の外側（図３の左側）に延びたのちに、他端Ｅ２に到達する一筆書き状に形成される。スリットＳ１により、第２切片４は、第４切片７と第５切片８とに分割される。第４切片７は、スリットＳ１と第２辺２ｂの区間ＳＥにより区画され、三角形状に形成される。第４切片７が区間ＳＥを軸に回転可能となるように、区間ＳＥには折り目が形成される。また、区間ＳＥの折り目と平行になるように、板状部材２の外側（図３の左側）に位置する第４切片７の先端側に折り目Ｆが形成される。折り目Ｆにより第４切片７の先端部ＴＰが折り目Ｆを軸に回転可能となる。第５切片８は、スリットＳ１と区間ＳＥを除いた第２辺２ｂにより区画され、略Ｖ字の板状に形成される。第５切片８が区間ＳＥを除いた第２辺２ｂを軸に回転可能となるように、第２辺２ｂには折り目（図示省略）が形成される。
【００２１】
第３辺２ｃには、第３辺２ｃから板状部材２の外側（図３下側）に延び、延びた先が第３辺２ｃより短くなり、台形状となる板状の第３切片５が備わる。第３切片５が第３辺２ｃを軸に板状部材２に向けて折り畳み可能となるように、第３辺２ｃには折り目（図示省略）が形成される。第３切片５は、第１切片３と同一又は略同一の形状である。
【００２２】
第４辺２ｃには、中空四角錐状の蓋部６が備わる。蓋部６は、図１に示すように中空四角錐状の頂点Ｖと、頂点Ｖを同じにする同一寸法又は略同一寸法の三角形状の第１面９、第２面１０、第３面１１、及び第４面１２と、を有する。蓋部６は、第１面９と第２面１０の接続部分Ｃ１、及び、第３面１１と第４面１２の接続部分Ｃ２を山折りに折り畳み可能、かつ、第１面９と第４面１２の接続部分Ｃ３、及び、第２面１０と第３面１１の接続部分Ｃ４を山折りに折り畳み可能に形成される。蓋部６を展開した図３に示すように、板状の三角形に形成される第１面９には、糊代部Ｇが取り付けられる。第１面９は、頂点Ｖと、頂点Ｖに対向する第１対向辺１３を有する。第２面１０は、板状の三角形状に形成され、頂点Ｖと、頂点Ｖに対向する第２対向辺１４と、頂点Ｖと第２対向辺１４の間、かつ、第２対向辺１４側に形成される略コ字状のスリットＳ２とを有する。第２対向辺１４は、頂点Ｖに向けて窪む凹部Ｄ（図１及び図２等では図示省略）を有する。凹部Ｄの幅Ｗは、板状部材２の第２辺２ｂの区間ＳＥより長く形成される。第１面９に取り付けられる糊代部Ｇは、第１面９の一辺ＥＤから第１面９の外側に延び、延びた先が一辺ＥＤより短くなり、台形状となる板状部材である。第３面１１は、板状の三角形に形成され、頂点Ｖと、頂点Ｖに対向する第３対向辺１５を有する。第４面１２は、板状の三角形に形成され、頂点Ｖと、頂点Ｖに対向する第４辺２ｄを有する。図１に示すように、第１対向辺１３は、第２対向辺１４及び第４辺２ｄに接続する。第２対向辺１４は、第１及び第３対向辺１３、１５に接続する。第３対向辺１５は、第２対向辺１４及び第４辺２ｄに接続する。第４辺２ｄは、第１及び第３対向辺１３、１５に接続する。第１〜第３対向辺１３、１４、１５及び第４辺２ｄは、矩形状（正方形状又は略正方形状）に接続され、蓋部６は第４辺２ｄを通じて板状部材２に接続される。蓋部６が第４辺２ｄを軸に板状部材２に向けて回転可能となるように、第４辺２ｄには折り目（図示省略）が形成される。
【００２３】
図４及び図５に示すように、図５の糊代部Ｇに糊を付けた状態で糊代部Ｇを第２面１０の裏面（図５で表示される第２面１０）に重ね合わせることで、頂点Ｖとする中空四角錐状の蓋部６が組み立てられる（図５→図４）。そして、蓋部６が組み立てられた収納ボックス１に複数枚のカードが収納される。
【００２４】
次に、収納ボックス１にカードを収納する一連の流れを説明する。例えば、図４に示すように蓋部６が開いた状態で、板状部材２上にカード（図示省略）を載置する。カードとしては、例えば、板状部材２内に収まる大きさものが板状部材２に、例えば、複数枚、載置される。次に、第１辺２ａを軸に板状部材２に向けて第１切片３を折り畳み、第２辺２ｂを軸に板状部材２に向けて第５切片８を折り畳み、第３辺２ｃを軸に板状部材２に向けて第３切片５を折り畳む。このように各部を折り畳んだ状態の一例が図２に示される。そして、第４辺２ｄを軸に板状部材２に向けて蓋部６を回転させる。すると、図６において、二点鎖線の仮想線などで示されるように、蓋部６の第１対向辺１３（二点鎖線で仮想的に図示）が四角錐の底面を構成する第１辺２ａ（二点鎖線で仮想的に図示）に沿うように位置する。また、蓋部６の第２対向辺１４が四角錐の底面を構成する第２辺２ｂ（二点鎖線で仮想的に図示）に沿うように位置する。同様に、蓋部６の第３対向辺１５が四角錐の底面を構成する第３辺２ｃ（二点鎖線で仮想的に図示）に沿うように位置する。ここで、第２辺２ｂの区間ＳＥを軸に第４切片７を第２面１０に向けて回転させるとともに、折り目Ｆを軸に先端部ＴＰを回転させ（図６→図７）、先端部ＴＰを第２面１０のスリットＳ２に挿入し、第４切片７を第２面１０に引っ掛ける（図７→図８）。これにより、蓋部６の位置が固定され、カードが蓋部６と板状部材２により区画された内部に収納される。収納ボックス１に収納されたカードを取り出す場合には、カードを収納した場合の逆の手順を踏めばよい。
【００２５】
図８に示すように立体的に組み立てられた収納ボックス１は、持ち運びをする際には、コンパクトに折り畳むことも可能である。例えば、図１に示す収納ボックス１において、第１面９と第４面１２の接続部分Ｃ３、及び、第２面１０と第３面１１との接続部分Ｃ４を山折りにし、第１面９と第４面１２が重なるとともに、第２面１０と第３面１１が重なるように折り畳む（図９）。そして、折り畳まれた蓋部６について、第４辺２ｄを軸に板状部材２に折り重ねるとともに、第２切片４について、第２辺２ｂを軸に板状部材に折り重ねる（図９→図１０）。この状態で、収納ボックス１は、第１辺２ａに沿う方向の長さが、１２０ｍｍ以下であり、第２辺２ｂに沿う方向の長さが、２３５ｍｍ以下となる。このように折り畳まれた状態の収納ボックス１を封筒などに入れることで、収納ボックス１をコンパクトにした状態で持ち運び可能となる。
【００２６】
以上のように収納ボックス１は、例えば、図４の板状部材２の上に複数のカードを載置した状態で、板状部材２に向けて各切片３、５、８を折り畳むとともに（図１参照）、第４辺２ｄを軸に板状部材２に向けて蓋部６を回転させることで、板状部材２と蓋部６に区画された内部にカードを収納できる（図８）。カードが収納された状態で、図２に示される各切片３、５、８及び蓋部６の第４面１２が板状部材２に載置されたカードを囲むようにして立って位置する。そのため、各切片３、５、８及び蓋部６の第４面１２により、収納ボックス１内に収納されたカードが収納ボックス１の外に飛び出すのを防止できる。
【００２７】
図６→図７に示すように、第２辺２ｂの区間ＳＥを軸に第４切片７を第２面１０に向けて回転させるとともに、折り目Ｆを軸に先端部ＴＰを回転させ、先端部ＴＰを第２面１０のスリットＳ２に挿入し、第４切片７を第２面１０に引っ掛ける（図７→図８）。これにより、蓋部６の位置が固定される。図７に示す第４切片７の先端部ＴＰを第２面１０に引っ掛けることで、蓋部６の位置を固定できる。蓋部６を閉じた状態で、図１１に示すように凹部Ｄの幅Ｗの内側に区間ＳＥが位置する。そのため、区間ＳＥを軸として第４切片７を回転させる際に、第４切片７の動きが第２対向辺１４に阻害されにくくなる。
【００２８】
また、図１に示すように、蓋部６は、第１面９と第４面１２の接続部分Ｃ３、及び、第２面１０と第３面１１との接続部分Ｃ４を山折りにすることで、図９に示すように、第１面９と第４面１２が重なるとともに、第２面１０と第３面１１が重なるように折り畳むことができる。よって、収納ボックス１をコンパクトにできる。そして、折り畳まれた蓋部６について、第４辺２ｄを軸に板状部材２に折り重ねるとともに、第２切片４について、第２辺２ｂを軸に板状部材に折り重ねた状態で（図９→図１０）、収納ボックス１は、第１辺２ａに沿う方向の長さが、１２０ｍｍ以下であり、第２辺２ｂに沿う方向の長さが、２３５ｍｍ以下となる。そのため、収納ボックス１を折り畳んだ状態で長３などの封筒に入れることができる。
【００２９】
上記で説明した収納ボックス１は、１つの実施形態に過ぎず、様々な変形が可能である。上記では、図７に示すように第４切片７の先端部ＴＰをスリットＳ２に差し込むことで、蓋部６を固定する例を示した。図１２に示すように、板状部材２にスリットＳ３を設けるとともに、蓋部６の第２面１０にスリットＳ３に差し込む突起部Ｐ１を設けても良い。突起部Ｐ１は、板状部材２の裏面側からスリットＳ３に差し込まれ、蓋部６が固定される。
【００３０】
以上、本考案の実施の態様を説明したが、本考案はその具体的な記載に限定されることなく、例示した構成等を技術的に矛盾のない範囲で適宜組み合わせて実施することも可能であるし、またある要素、処理を周知の形態に置き換えて実施することもできる。
【００３１】
なお、図１３には、本考案の参考例が示される。板状部材２の各辺２ａ、２ｂ、２ｃ、２ｄに本考案の蓋部６の代わりとなる面Ｆ１〜Ｆ４を設けることもできる。
【符号の説明】
【００３２】
１          収納ボックス              ２          板状部材
２ａ        第１辺                    ２ｂ        第２辺
２ｃ        第３辺                    ２ｄ        第４辺
３          第１切片                  ４          第２切片
５          第３切片                  ６          蓋部
７          第４切片                  ８          第５切片
９          第１面                    １０        第２面
１１        第３面                    １２        第４面
１３        第１対向辺                １４        第２対向辺
１５        第３対向辺                Ｓ１        スリット
Ｓ２        スリット                  ＳＥ        区間
Ｆ          折り目                    Ｄ          凹部
【図１】
0003233877.tif 000003
【図２】
0003233877.tif 000004
【図３】
0003233877.tif 000005
【図４】
0003233877.tif 000006
【図５】
0003233877.tif 000007
【図６】
0003233877.tif 000008
【図７】
0003233877.tif 000009
【図８】
0003233877.tif 000010
【図９】
0003233877.tif 000011
【図１０】
0003233877.tif 000012
【図１１】
0003233877.tif 000013
【図１２】
0003233877.tif 000014
【図１３】
0003233877.tif 000015